(57)【要約】  冷蔵庫は、前面に開口部が設けられ、少なくとも一つの貯蔵室を有する冷蔵庫本体と、貯蔵室の開口部を開閉自在に塞ぐ扉部と、貯蔵室に設けられた照明モジュールと、を備えている。照明モジュールは、帯状に形成され、長手方向における少なくとも一方の側面に受光面を有する導光板と、導光板の受光面に沿って設けられた光源体と、を有している。導光板は、冷蔵庫本体の幅方向に沿って受光面が配置され、受光面から入射した光を射出する第１発光面が、貯蔵室内に対向する一方の表面に形成されている。
2019163126.tif 000002
【特許請求の範囲】
【請求項１】
前面に開口部が設けられ、少なくとも一つの貯蔵室を有する冷蔵庫本体と、
前記貯蔵室の開口部を開閉自在に塞ぐ扉部と、
前記貯蔵室に設けられた照明モジュールと、を備え、
前記照明モジュールは、
帯状に形成され、長手方向における少なくとも一方の側面に受光面を有する導光板と、
前記導光板の前記受光面に沿って設けられた光源体と、を有しており、
前記導光板は、前記冷蔵庫本体の幅方向に沿って前記受光面が配置され、前記受光面から入射した光を射出する第１発光面が、前記貯蔵室内に対向する一方の表面に形成されている、冷蔵庫。
【請求項２】
前記導光板には、前記受光面から入射した光を射出する第２発光面が、他方の表面に形成されており、
前記第２発光面には、前記受光面から入射した光を前記第１発光面に向かって反射させる反射部材が設けられている、請求項１に記載の冷蔵庫。
【請求項３】
前記光源体は、前記導光板の前記受光面に沿って配置された複数の発光素子が、隣接する発光素子の放熱の影響を受けない間隔をあけて設けられた構成である、請求項１又は２に記載の冷蔵庫。
【請求項４】
前記光源体は、前記受光面と対向する部分を除く周囲が、遮光部材によって囲まれている、請求項１〜３のいずれか一項に記載の冷蔵庫。
【請求項５】
前記貯蔵室の内壁面には、前記照明モジュールを収納する凹形状の収納部が形成されており、
前記収納部は、透明性を有する照明カバーによって開口面が塞がれている、請求項１〜４のいずれか一項に記載の冷蔵庫。
【請求項６】
前記収納部には、反射率の高い有色部材から成り、前記照明カバーを保持する保持部材が内面に沿って設けられており、
前記照明モジュールは、前記照明カバーと前記保持部材とによって囲まれた空間に収納されている、請求項５に記載の冷蔵庫。
【請求項７】
前記照明カバーには、前記光源体と対向する範囲に、前記貯蔵室と前記収納部とを連通させる通気孔が形成されている、請求項５又は６に記載の冷蔵庫。
【請求項８】
前記照明カバーには、前記第１発光面と対向する表面に、前記第１発光面から射出された光の光軸と交差して拡散させる凹凸部が、前記冷蔵庫本体の幅方向に沿って延伸し、前記冷蔵庫本体の奥行き方向に沿って凹凸を繰り返して設けられている、請求項５〜７のいずれか一項に記載の冷蔵庫。
【発明の詳細な説明】
【技術分野】
【０００１】
本発明は、貯蔵室内を照らす照明モジュールを備えた冷蔵庫に関するものである。
【背景技術】
【０００２】
従来、冷蔵庫では、複数の貯蔵室のうち、最も使用頻度が高い冷蔵室の内容積を他の貯蔵室の内容積よりも大きくして、貯蔵物の収納性を高めた構成が知られている。冷蔵室では、内部を棚部で区画して複数の空間を形成し、貯蔵物の収納効率を高めている。また、冷蔵室には、出し入れを行う貯蔵物の視認性を向上させるために、室内を明るく照らす照明モジュールが設置されている。【０００３】
近年では、冷蔵庫の内容積を拡大させるために、冷蔵庫本体の内箱と外箱との間に設けられる断熱部材が薄型化されており、照明モジュールにも薄型化が求められている。例えば特許文献１に開示された冷蔵庫の照明モジュールは、帯状に形成され、短手方向における少なくとも一方の側面に受光面を有する導光板と、導光板の受光面に沿って設けられた光源体と、を有した構成である。貯蔵室に対向する導光板の表面には、受光面に入射した光を射出する発光面が形成されている。光源体は、導光板の受光面に沿って配置された複数の発光素子で構成されている。
【先行技術文献】
【特許文献】
【０００４】
【特許文献１】特開２０１５−１１４００５号公報
【発明の概要】
【発明が解決しようとする課題】
【０００５】
特許文献１の冷蔵庫の照明モジュールでは、帯状の導光板を有することによって、薄型化を実現することができる。しかし、この照明モジュールは、光源体で発光したすべての光を、導光板を介して反射することで冷蔵室内を照らす構成なので、反射の回数分だけ明るさが減衰してしまう。つまり、特許文献１の冷蔵庫では、同じ構成の光源体を冷蔵室に向かって直接向けた場合に比べると、冷蔵室が暗く見えてしまうおそれがある。一方、特許文献１の冷蔵庫は、導光板の短手方向の受光面を延伸させることで、その分だけ光源体の発光素子を多く配置することができ、冷蔵室を明るく照らすことができる。しかし、受光面を延伸させることに伴って、導光板の形状が大きくなるので、製造コストが掛かるし、冷蔵庫の内容積が小さくなる。【０００６】
本発明は、以上のような課題を解決するためになされたもので、薄型化した照明モジュールであっても、貯蔵室内を明るく照らすことができ、貯蔵物の視認性を向上させることができる、冷蔵庫を提供することを目的としている。
【課題を解決するための手段】
【０００７】
本発明に係る冷蔵庫は、前面に開口部が設けられ、少なくとも一つの貯蔵室を有する冷蔵庫本体と、前記貯蔵室の開口部を開閉自在に塞ぐ扉部と、前記貯蔵室に設けられた照明モジュールと、を備え、前記照明モジュールは、帯状に形成され、長手方向における少なくとも一方の側面に受光面を有する導光板と、前記導光板の前記受光面に沿って設けられた光源体と、を有しており、前記導光板は、前記冷蔵庫本体の幅方向に沿って前記受光面が配置され、前記受光面から入射した光を射出する第１発光面が、前記貯蔵室内に対向する一方の表面に形成されているものである。
【発明の効果】
【０００８】
本発明によれば、導光板の長手方向における少なくとも一方の側面に受光面を有し、その受光面に沿って光源体の発光素子を多く配置することができるので、貯蔵室内を明るく照らすことができ、貯蔵物の視認性を向上させることができる。
【図面の簡単な説明】
【０００９】
【図１】本発明の実施の形態１に係る冷蔵庫の正面図である。
【図２】図１に示したＩＩ−ＩＩ線矢視断面図である。
【図３】図２に示すＡ部を詳細に示した拡大図である。
【図４】本発明の実施の形態１に係る冷蔵庫の照明モジュールを示した平面図である。
【図５】ＬＥＤからの距離と当該距離のおける空気温度との関係を示した説明図である。
【図６】本発明の実施の形態１に係る冷蔵庫の照明モジュールと照明カバーとの関係を示した説明図である。
【図７】本発明の実施の形態１に係る冷蔵庫の照明モジュールの変形例を示した平面図である。
【図８】本発明の実施の形態２に係る冷蔵庫の照明モジュールであって、図２に示すＡ部を詳細に示した拡大図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態１．
先ず、図１及び図２に基づいて、実施の形態１の冷蔵庫１００の全体構造を説明する。図１は、本発明の実施の形態１に係る冷蔵庫の正面図である。図２は、図１に示したＩＩ−ＩＩ線矢視断面図である。図中のＸ方向は冷蔵庫１００の幅方向、Ｙ方向は冷蔵庫１００の高さ方向、Ｚ方向は冷蔵庫１００の奥行き方向を示している。
【００１２】
冷蔵庫１００は、前面に開口部を有し、内部を複数の仕切り板１２で仕切られて複数段の貯蔵室２が形成された冷蔵庫本体１と、冷蔵庫本体１の前面に設けられ、各貯蔵室の開口部を開閉自在に塞ぐ扉部３とで構成されている。冷蔵庫本体１には、冷蔵庫１００の内側である硬質樹脂製の内箱１０と、冷蔵庫１００の外側である鋼板製の外箱１１とで密封された空間が形成されている。内箱１０と外箱１１とで密閉された空間には、真空断熱材が設置され、ウレタンフォームなどの発泡断熱材が充填されている。
【００１３】
貯蔵室２は、一例として上から順に冷蔵室２０、切替室２１及び製氷室２２、冷凍室２３、野菜室２４、で構成されている。各貯蔵室は、設定可能な温度帯（設定温度帯）によって区別されており、例えば、冷蔵室２０が約３℃、切替室２１が０℃又は−７℃、製氷室２２及び冷凍室２３が約−１２℃〜−１８℃、野菜室２４が約５℃に設定可能となっている。なお、貯蔵室２は、図示した構成に限定されない。また、各貯蔵室の設定温度もこれに限定されるものではなく、設置場所及び内容物に応じて適宜設定を変更することができる。
【００１４】
冷蔵室２０は、使用頻度が高く、使用者が腰を屈めずに出し入れができる最上段に配置されている。冷蔵室２０の前面開口部には、冷蔵室左扉及び冷蔵室右扉で構成された観音開き式の冷蔵室扉３０が設けられている。冷蔵室左扉及び冷蔵室右扉は、それぞれ扉回転軸を支えるヒンジ部により回転自在に軸支されている。冷蔵室２０は、内部を棚部２０ａで区画して複数の空間が形成されており、貯蔵物の収納効率を高めた構成とされている。また、冷蔵室２０の天面には、凹形状の収納部４０が冷蔵庫本体１の幅方向（Ｘ方向）に沿って形成されている。収納部４０には、冷蔵室２０内を明るく照らす照明モジュール４が収納されている。照明モジュール４は、冷蔵室２０に出し入れを行う貯蔵物の視認性を高めるために設けられている。
【００１５】
切替室２１は、例えば約０℃のチルド及び約−７℃のソフト冷凍温度に切替可能とした構成である。切替室２１の前面開口部には、引き出し式の切替室扉３１が設けられている。製氷室２２の前面開口部には、引き出し式の製氷室扉３２が設けられている。冷凍室２３の前面開口部には、引き出し式の冷凍室扉３３が設けられている。また、野菜室２４の前面開口部には、引き出し式の野菜室扉３４が設けられている。なお、図示することは省略したが、各扉部には、室内冷気の外部流出を防ぐ扉ガスケットが、内側周縁に沿って取り付けられている。
【００１６】
切替室２１、製氷室２２及び冷凍室２３の後方側には、仕切り壁によって仕切られた冷却器室１３が設けられている。冷却器室１３には、−２０〜−３０℃程度の冷気を生成する冷却器１４と、その冷気を各室に供給するファン１５とが収納されている。また、野菜室２４の後方側には、圧縮機１６と、コンデンサ１７と、図示省略の放熱用の放熱パイプと、キャピラリーチューブ等の減圧装置１８が設けられている。冷蔵庫１００は、圧縮機１６、コンデンサ１７、放熱パイプ、減圧装置１８、及び冷却器１４を冷媒配管で環状に接続した冷媒サイクルに冷媒を封入して冷却運転を行う構成である。冷却器室１３で生成した冷気は、風量調整手段であるダンパ１９によって風量が調整されて各貯蔵室に送られる。
【００１７】
次に、図３〜図７に基づいて実施の形態１における照明モジュール４の構成を説明する。図３は、図２に示したＡ部を詳細に示した拡大図である。図４は、本発明の実施の形態１に係る冷蔵庫の照明モジュールを示した平面図である。照明モジュール４は、図３に示すように、冷蔵室２０の天面に形成された凹形状の収納部４０に収納されている。具体的には、収納部４０は、透明性を有する合成樹脂製の照明カバー９によって開口面が塞がれている。収納部４０には、照明カバー９を保持する保持部材４１が内面に沿って設けられている。保持部材４１は、反射率の高い合成樹脂製の有色部材で構成されている。有色部材とは、例えばＡＢＳ樹脂であり、可視光反射率が０．９以上で、白色を基調とした鏡面磨き材料である。照明カバー９は、例えばネジ等の接合部材で保持部材４１に接合され、或いは嵌合構造によって保持部材４１に嵌合されて、保持部材４１に保持されている。照明モジュール４は、照明カバー９と保持部材４１とによって囲まれた空間に収納されている。
【００１８】
照明モジュール４は、図３及び図４に示すように、帯状に形成され、長手方向における両側面に受光面５０ａ及び５０ｂを有する導光板５と、導光板５の受光面５０ａ及び５０ｂに沿って設けられた光源体６と、を有している。
【００１９】
導光板５は、光透過性を有する合成樹脂製のシート材で構成されている。導光板５の厚さは、例えば２ｍｍ〜５ｍｍ程度である。導光板５は、冷蔵庫本体１の幅方向（Ｘ方向）に沿って受光面５０ａ及び５０ｂが配置されている。また、導光板５には、受光面５０ａ及び５０ｂから入射した光を冷蔵室２０の内部に射出する第１発光面５１が、冷蔵室２０に対向する表面に形成されている。
【００２０】
なお、導光板５には、受光面５０ａ及び５０ｂから入射した光を射出する第２発光面５２が、他方の表面に形成されている。第２発光面５２には、受光面５０ａ及び５０ｂから入射した光を第１発光面５１に向かって反射させる反射部材７が設けられている。反射部材７は、例えば光反射性を有する樹脂製シート又は光反射性を有する金属製シートで構成される。この反射部材７には、光が拡散されるように、山形状、矩形状、円弧形状又は台形状等の光学的なパターンが施されている。
【００２１】
光源体６は、導光板５の受光面５０ａ及び５０ｂに沿って配置された複数の発光素子６０が、隣接する発光素子６０の放熱の影響を受けない間隔Ｓをあけて設けられた構成である。発光素子６０は、一例としてＬＥＤであり、共通の基板６１で保持されている。発光素子６０は、図４に示すように、導光板５の受光面５０ａ及び５０ｂに対して光軸６０ａが略垂直に入射されるように配置されている。また、一方の受光面５０ａに配置された発光素子６０と、他方の受光面５０ｂに配置された発光素子６０とは、光軸６０ａが重ならないように位置をずらして配置されている。具体的には、一方の受光面５０ａに配置された隣接する発光素子６０の中間に、他方の受光面５０ｂに配置された発光素子６０が位置している。なお、隣接する発光素子６０の放熱の影響を受けない間隔Ｓとは、例えば８ｍｍ程度である。当該間隔Ｓは、照明回路に流す電流の大きさと、発光素子６０の発熱効率によって適宜変更される。
【００２２】
図５は、ＬＥＤからの距離と当該距離のおける空気温度との関係を示した説明図である。図５における発光素子６０は、ＬＥＤで構成したものである。横軸は、ＬＥＤから距離（ｍｍ）を示している。縦軸は、ＬＥＤからの距離における空気温度（℃）を示している。図５の場合では、冷蔵室２０内の室温が３℃、ＬＥＤの発熱温度が５０℃である。図５に示すように、空気温度は、ＬＥＤから４ｍｍ離れた位置において著しく減衰する。これは、ＬＥＤの直上位置の空気温度と比較すると６１％の減衰率になる。空気温度は、ＬＥＤから４ｍｍ以上離れると、減衰はするものの２ｍｍおきに１．６％の減衰率となる。つまり、発光素子６０をＬＥＤとした場合では、発熱影響が大きい周囲４ｍｍの空間が互いに重複しないように、隣接するＬＥＤの間隔Ｓを８ｍｍ以上あけて、ＬＥＤ間で熱影響を及ぼし合わないようにすることが望ましい。なお、ＬＥＤの発熱温度が大きく、冷蔵室２０の室温との差が大きい場合では、ＬＥＤの間隔をさらに設ける必要がある。
【００２３】
また、光源体６は、図３に示すように、受光面５０ａ及び５０ｂと対向する部分を除く周囲が、金属製の遮光部材８によって囲まれている。遮光部材８は、光源体６で発光された光を受光面５０ａ及び５０ｂに集めて入射率を向上させるために設けられている。遮光部材８は、導光板５の長手方向に沿って凹部が延びる凹形状とされ、凹部の開口面が導光板５に対向するように、導光板５の短手方向の両端部に設けられている。遮光部材８は、凹部の開口縁が導光板５の縁部と接触しており、導光板５と遮光部材８の凹部とによって形成された空間に光源体６が収納されている。遮光部材８の底面は、照明カバー９の上面に接触している。なお、遮光部材８は、一例として熱伝導率のよいアルミニウムで形成されている。
【００２４】
図６は、本発明の実施の形態１に係る冷蔵庫の照明モジュールと照明カバーとの関係を示した説明図である。照明カバー９には、図６に示すように、光源体６と対向する範囲に、冷蔵室２０と収納部４０とを連通させる複数の通気孔９０が形成されている。通気孔９０は、高温となった発光素子６０の周囲の熱を放熱させるために形成されている。通気孔９０は、一例として長辺が８ｍｍ程度、短辺が４ｍｍ程度の長方形状であり、発光素子６０の光軸６０ａが孔中心を通るように、各発光素子６０の直下に形成されている。但し、通気孔９０は、円形状又はその他の形状でもよい。
【００２５】
照明カバー９を形成する合成樹脂の熱伝導率は、０．２〜０．３Ｗ／ｍ・Ｋである。一方、遮光部材８を形成するアルミニウムの熱伝導率は、１３０Ｗ／ｍ・Ｋ程度である。発光素子６０の発熱を５０℃程度、冷蔵室２０の室温を３℃程度、遮光部材８の厚さを１ｍｍ程度、照明カバー９の厚さを２．５ｍｍ程度とした場合では、照明カバー９に通気孔９０を上記のように形成することで放熱効率（熱通過量）が約４０倍改善することができる。
【００２６】
ところで、近年では、冷蔵庫１００の内容積を拡大させるために、冷蔵庫本体１の内箱１０と外箱１１との間に設けられる断熱部材が薄型化されており、冷蔵室２０の内壁面に設けられる照明モジュール４にも薄型化が求められている。実施の形態１の冷蔵庫１００では、帯状に形成され、長手方向における少なくとも一方の側面に受光面５０ａ又は５０ｂを有する導光板５と、導光板５の受光面５０ａ又は５０ｂに沿って設けられた光源体６と、で照明モジュール４を薄型化した構成なので、省スペースで配置することができ、貯蔵室２の内容積の拡大に寄与することができる。
【００２７】
また、照明モジュール４は、光源体６で発光したすべての光を、導光板５を介して反射させて冷蔵室２０内を照らす構成なので、反射の回数分だけ明るさが減衰してしまう。実施の形態１の冷蔵庫１００では、導光板５の長手方向における少なくとも一方の側面に受光面５０ａ又は５０ｂを有し、その受光面５０ａ又は５０ｂに沿って光源体６の発光素子６０を配置するので、例えば導光板の短手方向に発光素子を配置する構成と比べて、発光素子６０を多く配置することができる。よって、この冷蔵庫１００は、発光素子６０を多く配置できる分だけ、冷蔵室２０内を明るく照らすことができるので、貯蔵物の視認性を向上させることができる。また、この冷蔵庫１００は、光源体６で発光したすべての光を、導光板５を介して反射するので、発光の分布を平均化することができ、室内全体に亘ってバランスの良い明るさを実現できる。
【００２８】
また、実施の形態１に係る冷蔵庫１００の導光板５には、受光面５０ａ又は５０ｂから入射した光を射出する第２発光面５２が、他方の表面に形成されている。第２発光面５２には、受光面５０ａ又は５０ｂから入射した光を第１発光面５１に向かって反射させる反射部材７が設けられている。よって、この冷蔵庫１００は、冷蔵室２０内をより明るく照らすことができるので、貯蔵物の視認性をより向上させることができる。
【００２９】
また、照明モジュール４は、密集させて配置した発光素子６０が、放熱されずに長時間にわたって発熱されると、当該熱で周辺が高温となり、故障するおそれがある。例えば、使用者が冷蔵室扉３０を閉め忘れて、照明モジュール４が長時間点灯するような場合である。実施の形態１に係る冷蔵庫１００では、導光板５の長手方向の側面に設けられた受光面５０ａ又は５０ｂに沿って複数の発光素子６０を配置するので、隣接する発光素子６０の放熱の影響を受けない間隔Ｓをあけることができ、発熱した発光素子６０の熱を放熱させるスペースを確保できる。よって、この冷蔵庫１００は、発光素子６０が長時間にわたって発熱しても、周辺が高温となる事態を抑制することができる。
【００３０】
また、実施の形態１に係る冷蔵庫１００の光源体６は、受光面５０ａ及び５０ｂと対向する部分を除く周囲が遮光部材８によって囲まれている。つまり、この冷蔵庫１００は、遮光部材８で光の漏れを遮ることができるので、光源体６で発光された光を受光面５０ａ及び５０ｂに集めて入射率を向上させることができる。よって、この冷蔵庫１００は、少ない発光で冷蔵室２０内を効果的に明るくすることができ、光省エネ効果を高めることができる。
【００３１】
また、実施の形態１に係る冷蔵庫１００は、照明モジュール４を収納する凹形状の収納部４０が冷蔵室２０の内壁面に形成されている。収納部４０は、透明性を有する照明カバー９によって開口面が塞がれている。よって、実施の形態１に係る冷蔵庫１００は、冷蔵室２０の内壁面が略フラットな状態となるので、冷蔵室２０の内容積を大きくすることができるし、意匠性にも優れている。
【００３２】
また、実施の形態１に係る冷蔵庫１００は、反射率の高い有色部材から成り、照明カバー９を保持する保持部材４１が収納部４０の内面に沿って設けられている。そして、照明モジュール４は、照明カバー９と保持部材４１とによって囲まれた空間に収納されている。よって、この冷蔵庫１００は、保持部材４１で照明カバー９を保持しつつ、光源体６で発光された光を無駄なく冷蔵室２０に向かって反射させることができるので、少ない発光で冷蔵室２０内を効果的に明るくすることができ、光省エネ効果を高めることができる。
【００３３】
また、実施の形態１に係る冷蔵庫１００の照明カバー９には、光源体６と対向する範囲に、冷蔵室２０と収納部４０とを連通させる通気孔９０が形成されている。よって、この冷蔵庫１００は、発熱した発光素子６０の熱を、通気孔９０を通じて放熱させることができるので、発光素子６０が長時間にわたって発熱しても、周辺が高温となる事態を抑制することができる。
【００３４】
図７は、本発明の実施の形態１に係る冷蔵庫の照明モジュールの変形例を示した平面図である。実施の形態１に係る冷蔵庫１００は、図７に示したように、導光板５の長手方向の一方の側面にのみ受光面５０ａを有する構成としてもよい。この場合、光源体６は、受光面５０ａにのみ設けられる。
【００３５】
実施の形態２．
次に、本発明の実施の形態２に係る冷蔵庫を、図１〜図７を参照しつつ図８に基づいて説明する。図８は、本発明の実施の形態２に係る冷蔵庫の照明モジュールであって、図２に示すＡ部を詳細に示した拡大図である。なお、実施の形態１で説明した冷蔵庫１００と同一の構成については、同一の符号を付して、その説明を適宜省略する。
【００３６】
実施の形態２の冷蔵庫の照明カバー９には、第１発光面５１と対向する表面に、導光板５の第１発光面５１から射出された光の光軸６０ａと交差して拡散させる凹凸部９１が、冷蔵庫本体１の幅方向（Ｘ方向）に沿って延伸し、冷蔵庫本体１の奥行き方向（Ｚ方向）に沿って三角形状の凹凸を繰り返すジグザグ状に設けられている。なお、凹凸部９１は、導光板５の第１発光面５１から射出された光の光軸６０ａと交差して拡散できる形状であれば三角形状に限定されず、例えば矩形状、円弧形状又は台形状等でもよい。
【００３７】
実施の形態２に係る冷蔵庫の導光板５にも、受光面５０ａ及び５０ｂから入射した光を射出する第２発光面５２が、他方の表面に形成されている。第２発光面５２には、受光面５０ａ及び５０ｂから入射した光を第１発光面５１に向かって反射させる反射部材７が設けられている。
【００３８】
実施の形態２の冷蔵庫では、照明カバー９に凹凸部９１を設けることで、導光板５の第１発光面５１から射出された光を、冷蔵室２０の幅方向（Ｘ方向）に拡散させることができる。よって、この冷蔵庫は、冷蔵室２０内を均一に照らす効果を高めることができるので、貯蔵物の視認性を向上させることができるし、使用者が強い光を直視することもないので、安全且つ安心して使用することができる。
【００３９】
以上に本発明を実施の形態に基づいて説明したが、本発明は上述した実施の形態の構成に限定されるものではない。例えば照明モジュール４は、冷蔵室２０以外の他の貯蔵室２に設けてもよい。また、照明モジュール４は、冷蔵室２０の天面に設ける構成に限定されず、底面又は側面に設けてもよい。また、照明モジュール４は、第２発光面５２を有しない構成としてもよい。要するに、本発明は、その技術的思想を逸脱しない範囲において、当業者が通常に行う設計変更及び応用のバリエーションの範囲を含むものである。
【符号の説明】
【００４０】
１  冷蔵庫本体、２  貯蔵室、３  扉部、４  照明モジュール、５  導光板、６  光源体、７  反射部材、８  遮光部材、９  照明カバー、１０  内箱、１１  外箱、１２  仕切り板、１３  冷却器室、１４  冷却器、１５  ファン、１６  圧縮機、１７  コンデンサ、１８  減圧装置、１９  ダンパ、２０  冷蔵室、２０ａ  棚部、２１  切替室、２２  製氷室、２３  冷凍室、２４  野菜室、３０  冷蔵室扉、３１  切替室扉、３２  製氷室扉、３３  冷凍室扉、３４  野菜室扉、４０  収納部、４１  保持部材、５０ａ、５０ｂ  受光面、５１  第１発光面、５２  第２発光面、６０  発光素子、６０ａ  光軸、６１  基板、９０  通気孔、９１  凹凸部、１００  冷蔵庫。
【図１】
2019163126.tif 000003
【図２】
2019163126.tif 000004
【図３】
2019163126.tif 000005
【図４】
2019163126.tif 000006
【図５】
2019163126.tif 000007
【図６】
2019163126.tif 000008
【図７】
2019163126.tif 000009
【図８】
2019163126.tif 000010
【手続補正書】
【提出日】令和2年6月12日(2020.6.12)
【手続補正１】
【補正対象書類名】明細書
【補正対象項目名】０００７
【補正方法】変更
【補正の内容】
【０００７】
本発明に係る冷蔵庫は、前面に開口部が設けられ、少なくとも一つの貯蔵室を有する冷蔵庫本体と、前記貯蔵室の開口部を開閉自在に塞ぐ扉部と、前記貯蔵室に設けられた照明モジュールと、を備え、前記照明モジュールは、帯状に形成され、長手方向の両側面に受光面を有する導光板と、前記導光板の両側面にある前記受光面に沿って設けられた光源体と、を有しており、前記光源体は、光軸が前記受光面に垂直に入射し、且つ一方の前記受光面に入射する光軸と、他方の前記受光面に入射する光軸とが、重ならないように位置をずらした構成であり、前記導光板は、前記冷蔵庫本体の幅方向に沿って前記受光面が配置され、前記受光面から入射した光を射出する第１発光面が、前記貯蔵室内に対向する一方の表面に形成されているものである。
【手続補正２】
【補正対象書類名】特許請求の範囲
【補正対象項目名】全文
【補正方法】変更
【補正の内容】
【特許請求の範囲】
【請求項１】
前面に開口部が設けられ、少なくとも一つの貯蔵室を有する冷蔵庫本体と、
前記貯蔵室の開口部を開閉自在に塞ぐ扉部と、
前記貯蔵室に設けられた照明モジュールと、を備え、
前記照明モジュールは、
帯状に形成され、長手方向の両側面に受光面を有する導光板と、
前記導光板の両側面にある前記受光面に沿って設けられた光源体と、を有しており、
前記光源体は、光軸が前記受光面に垂直に入射し、且つ一方の前記受光面に入射する光軸と、他方の前記受光面に入射する光軸とが、重ならないように位置をずらした構成であり、
前記導光板は、前記冷蔵庫本体の幅方向に沿って前記受光面が配置され、前記受光面から入射した光を射出する第１発光面が、前記貯蔵室内に対向する一方の表面に形成されている、冷蔵庫。
【請求項２】
前記導光板には、前記受光面から入射した光を射出する第２発光面が、他方の表面に形成されており、
前記第２発光面には、前記受光面から入射した光を前記第１発光面に向かって反射させる反射部材が設けられている、請求項１に記載の冷蔵庫。
【請求項３】
前記光源体は、前記導光板の前記受光面に沿って配置された複数の発光素子が、隣接する発光素子の放熱の影響を受けない間隔をあけて設けられた構成である、請求項１又は２に記載の冷蔵庫。
【請求項４】
一方の前記受光面に配置された隣接する前記発光素子の中間に、他方の前記受光面に配置された前記発光素子が位置している、請求項３に記載の冷蔵庫。
【請求項５】
前記光源体は、前記受光面と対向する部分を除く周囲が、遮光部材によって囲まれている、請求項１〜４のいずれか一項に記載の冷蔵庫。
【請求項６】
前記貯蔵室の内壁面には、前記照明モジュールを収納する凹形状の収納部が形成されており、
前記収納部は、透明性を有する照明カバーによって開口面が塞がれている、請求項１〜５のいずれか一項に記載の冷蔵庫。
【請求項７】
前記収納部には、反射率の高い有色部材から成り、前記照明カバーを保持する保持部材が内面に沿って設けられており、
前記照明モジュールは、前記照明カバーと前記保持部材とによって囲まれた空間に収納されている、請求項６に記載の冷蔵庫。
【請求項８】
前記照明カバーには、前記光源体と対向する範囲に、前記貯蔵室と前記収納部とを連通させる通気孔が形成されている、請求項６又は７に記載の冷蔵庫。
【請求項９】
前記照明カバーには、前記第１発光面と対向する表面に、前記第１発光面から射出された光の光軸と交差して拡散させる凹凸部が、前記冷蔵庫本体の幅方向に沿って延伸し、前記冷蔵庫本体の奥行き方向に沿って凹凸を繰り返して設けられている、請求項６〜８のいずれか一項に記載の冷蔵庫。
【国際調査報告】
2019163126.tif 000011
2019163126.tif 000012
2019163126.tif 000013
2019163126.tif 000014